(57)【要約】【課題】ピンの曲がりを矯正させた一対のピンをセラミック基板の破壊を防止して正確に取り付けができる中組ラックへのセラミック基板装着装置を提供する。【解決手段】中組ラックへのセラミック基板装着装置１０において、中組ラック２０を水平状態に載置させるための支持体１１と、セラミック基板３０を載置するためのテーブル１２と、これに縦部材２１を挟み込むための突出部１３と、ピン２３を開脚させるための押圧体１４と、これにピン２３の曲がりを矯正するためのガイド溝１５を有し、中組ラック２０を支持体１１に載置させた後、突出部１３で縦部材２１を挟み込んで固定させる手段と、ピン２３の曲がりを矯正しながら開脚させる手段と、セラミック基板３０を載置し、押圧体１４の押圧を開放してつめ部２４でセラミック基板３０の切り欠き部３５を挟持させた後、突出部１３による押圧を開放させる手段を有する。【選択図】図１
2012184491.tif 000002
【特許請求の範囲】
【請求項１】
セラミック基板の表面に露出する金属部分に電解めっき被膜を形成するのに際し、縦部材と、該縦部材に対して直交して前記セラミック基板の長さ、又は幅寸法に対応する位置に固定して設ける複数本の横部材を串状に組み合わせると共に、相対向する前記横部材から一方の主面側に前記セラミック基板の相対向する２辺の所定位置に設ける切り欠き部に当接させて前記セラミック基板を挟持するための一対のピンを複数対備える複数組が前記縦部材に沿って整列する中組ラックへ前記セラミック基板を装着するためのセラミック基板装着装置において、
前記ピンが上方側になるようにして前記中組ラックを水平状態に載置させるための支持体と、該支持体に載置される前記中組ラックの前記縦部材方向に対して前記支持体の上方の両横側に設けられ互いに連動して前記縦部材方向に対して水平に前方、又は後方可動し、該前方可動後に前記セラミック基板を載置するためのテーブルと、該テーブルの先端部上面より下方に前記縦部材を挟み込むための突出部と、前記テーブルの下方に前記複数対のピンをそれぞれ外側方向に開脚させるための押圧体と、該押圧体の前記セラミック基板の前記切り欠き部に対応する位置に前記ピンの曲がりを矯正するためのガイド溝を有し、
前記ピンの先端部を前記テーブル上面より突出させた状態になるようにして前記中組ラックを前記支持体に載置させた後、前記テーブルの前記前方可動に併せて前記突出部で前記縦部材を両横側から押圧しながら挟み込んで前記中組ラックを前記テーブルに固定させる手段と、前記ピンを前記ガイド溝に当接させながら前記押圧体で押し広げて前記ピンの曲がりを矯正しながら前記複数対のそれぞれの前記ピンを中央部から外側方向に開脚させる手段と、前記セラミック基板を前記テーブル上に載置し、前記押圧体の押圧を開放して前記複数対の前記ピンの先端部に備えるつめ部で前記セラミック基板の切り欠き部を挟持させた後、前記中組ラックを固定する前記テーブルの前記突出部による押圧を開放させる手段を有することを特徴とする中組ラックへのセラミック基板装着装置。
【発明の詳細な説明】
【技術分野】
【０００１】
本発明は、個片体のセラミックパッケージの多数個が平面状に整列する集合体と、この集合体の外周部にダミー部を設けてなるセラミック基板を中組ラックに取り付けた後、中組ラックを本体ラックに取り付けてそれぞれの個片体のセラミックパッケージに設けられたメタライズ膜や、金属部材に電解めっき被膜を形成するための中組ラックへのセラミック基板装着装置に関する。
【背景技術】
【０００２】
従来から、個片体のセラミックパッケージの集合体と、この外周部にダミー部を設けてなるセラミック基板は、個片体のセラミックパッケージに設けられたメタライズ膜や、金属部材等に電解めっき被膜を形成するために、セラミック基板を取り付けるための中組ラックが用いられていた。そして、中組ラックは、本体ラックに取り付けた後、本体ラックごとメッキ浴中で通電させることで、セラミック基板に電解めっき被膜を形成するようになっている。図５（Ａ）、（Ｂ）に示すように、従来のセラミック基板５０を取り付けるための中組ラック５１は、通常、背骨となる縦部材５２と、この縦部材５２に対して直交してセラミック基板５０の長さ、又は幅寸法に対応する位置に固定して取り付けられる横骨となる複数本の横部材５３を有する串状に形成されている。そして、更に、中組ラック５１には、相対向する横部材５３に対して垂直に立設してセラミック基板５０の相対向する２辺を挟持するための一対のピン５４、５４を複数対備える複数組が縦部材５２に沿って整列して設けられている。この一対のピン５４、５４は、それぞれ相対向する側にバネ力を有し、このバネ力によってセラミック基板５０を挟持できるようになっている。また、それぞれ一対のピン５４、５４の先端部には、セラミック基板５０を挟持したときの落下を防止するための相対向して向かい合う位置につめ部５５が設けられている。
【０００３】
図６（Ａ）〜（Ｃ）を参照しながら、従来の中組ラック５１へのセラミック基板５０の装着方法を説明する。図６（Ａ）に示すように、中組ラック５１へのセラミック基板５０の装着では、人がセラミック基板５０の端部を指で把持している。次に、図６（Ｂ）に示すように、中組ラック５１には、指で把持したセラミック基板５０の相対向する一方側の辺を、中組ラック５１の一対の一方側のピン５４、又は他方側のピン５４のつめ部５５に当接させながら押圧して押し広げている。そして、図６（Ｃ）に示すように、セラミック基板５０は、相対向する一方側の辺で中組ラック５１の一対の一方側のピン５４、又は他方側のピン５４を押し広げた状態で、相対向する他方側の辺を、中組ラック５１の一対の他方側のピン５４、又は一方側のピン５４のつめ部５５に取り付けている。なお、セラミック基板５０には、相対向する一対のピン５４、５４のそれぞれのつめ部５５に取り付けるための切り欠き部５６（図５（Ａ）参照）が設けられており、そこに電解めっき被膜を形成するためのメタライズ配線を延設させている。
【０００４】
しかしながら、近年のセラミックパッケージに電子部品を実装し、これを組み込んだ電子装置の小型化に伴うセラミックパッケージの小型化によって、セラミック基板５０は、厚みが非常に薄いものとなっている。このようなセラミック基板５０を上記のような手作業によって中組ラック５１へ装着する方法は、セラミック基板５０を多数個のセラミックパッケージに分割するための分割溝に破壊を発生させることとなっている。また、上記のような手作業によって中組ラック５１へのセラミック基板５０の装着方法は、セラミック基板５０の破壊を防止しようとするあまり、中組ラック５１への取り付け、取り外し能率が低くなり、多数の作業者が必要となっている。
【０００５】
そこで、中組ラックへのセラミック基板の装着方法には、手作業ではなく、装置を用いて装着する方法が提案されている。この従来のめっきラック掛け装置は、供給カセット内の被めっき製品を１列づつ吸着して送りコンベアに移載する吸着ヘッドと、中組ラックを複数本セットして順次にピッチ送りする中組ラック並べコンベアと、上記送りコンベアによって密着送りされる被めっき製品のピッチを所定間隔に拡げる吸着ピッチ拡げ装置と、両側からＶ形切欠き付位置決め板を前進させて上記中組ラックの左右一対の導通ピンをそのＶ形切欠きで位置決めしながら挟み込み、上記吸着ピッチ拡げ装置による吸着を解除された被めっき製品を左右の位置決め治具の傾斜案内面で案内して上記位置決め板上に移載し、上記位置決め板を後退させることにより上記導通ピンを被めっき製品に係合させて保持する位置決め装置とを備えたことを特徴とするものである（例えば、特許文献１参照）。そして、この装置の場合には、被めっき製品の中組ラック掛け作業を手作業によることなく自動化できるという利点を有している。
【先行技術文献】
【特許文献】
【０００６】
【特許文献１】実公平３−１４８３号公報
【発明の概要】
【発明が解決しようとする課題】
【０００７】
しかしながら、前述したような従来の中組ラックへのセラミック基板装着装置には、次のような問題がある。
（１）中組ラックは、ピンが比較的細く長い物であり、作業が繰り返されるに従いピンの曲がりが発生するので、中組ラックへのセラミック基板の取り付け時にピンの曲がりの矯正に手間取り、作業効率が低くセラミック基板のコストアップとなっている。
（２）実公平３−１４８３号公報で開示されるような中組ラックへのセラミック基板装着装置は、中組ラックのピンの曲がりを矯正することなくセラミック基板をその相対向する両端部に接合して設ける外部接続リード端子に内側から係合させているので、曲がりのあるピンの場合には外部接続リード端子に係合させることができないことがある。また、この中組ラックへのセラミック基板装着装置は、外部接続リード端子が中組ラックのピンのバネ力によって曲がる場合があり、セラミック基板の不良を発生させたり、曲がりの修正に時間を要しセラミック基板のコストアップとなっている。
（３）また、実公平３−１４８３号公報で開示されるような中組ラックへのセラミック基板装着装置は、中組ラックのピンが互いに挟縮するようにしておいて、これを開放することでセラミック基板をその相対向する両端部に接合して設ける外部接続リード端子に内側から係合させて保持するもので、セラミック基板には、必ず外部接続リード端子を接合して有することが必要となっており、外部接続リード端子を接合して有さないようなセラミック基板には、中組ラックのピンを取り付けることができなくなっている。
（４）更に、実公平３−１４８３号公報で開示されるような中組ラックへのセラミック基板装着装置は、中組ラックの一対のピンが相対向して同じ位置に設けられ、一対のピンを互いに大きく挟縮させたときにピン同士が干渉しあい絡まりが発生するので、外部接続リード端子に係合させることができない場合がある。
【０００８】
本発明は、このような事情に鑑みてなされたものであって、外部接続リード端子を有さないセラミック基板の取り付け位置に、ピンの曲がりを矯正させた一対のピンをセラミック基板の破壊を防止して正確に取り付けができる中組ラックへのセラミック基板装着装置を提供することを目的とする。
【課題を解決するための手段】
【０００９】
前記目的に沿う本発明に係る中組ラックへのセラミック基板装着装置は、セラミック基板の表面に露出する金属部分に電解めっき被膜を形成するのに際し、縦部材と、縦部材に対して直交してセラミック基板の長さ、又は幅寸法に対応する位置に固定して設ける複数本の横部材を串状に組み合わせると共に、相対向する横部材から一方の主面側にセラミック基板の相対向する２辺の所定位置に設ける切り欠き部に当接させてセラミック基板を挟持するための一対のピンを複数対備える複数組が縦部材に沿って整列する中組ラックへセラミック基板を装着するためのセラミック基板装着装置において、ピンが上方側になるようにして中組ラックを水平状態に載置させるための支持体と、支持体に載置される中組ラックの縦部材方向に対して支持体の上方の両横側に設けられ互いに連動して縦部材方向に対して水平に前方、又は後方可動し、前方可動後にセラミック基板を載置するためのテーブルと、テーブルの先端部上面より下方に縦部材を挟み込むための突出部と、テーブルの下方に複数対のピンをそれぞれ外側方向に開脚させるための押圧体と、押圧体のセラミック基板の切り欠き部に対応する位置にピンの曲がりを矯正するためのガイド溝を有し、ピンの先端部をテーブル上面より突出させた状態になるようにして中組ラックを支持体に載置させた後、テーブルの前方可動に併せて突出部で縦部材を両横側から押圧しながら挟み込んで中組ラックをテーブルに固定させる手段と、ピンをガイド溝に当接させながら押圧体で押し広げてピンの曲がりを矯正しながら複数対のそれぞれのピンを中央部から外側方向に開脚させる手段と、セラミック基板をテーブル上に載置し、押圧体の押圧を開放して複数対のピンの先端部に備えるつめ部でセラミック基板の切り欠き部を挟持させた後、中組ラックを固定するテーブルの突出部による押圧を開放させる手段を有する。
【発明の効果】
【００１０】
本発明の中組ラックへのセラミック基板装着装置は、ピンが上方側になるようにして中組ラックを水平状態に載置させるための支持体と、支持体に載置される中組ラックの縦部材方向に対して支持体の上方の両横側に設けられ互いに連動して縦部材方向に対して水平に前方、又は後方可動し、前方可動後にセラミック基板を載置するためのテーブルと、テーブルの先端部上面より下方に縦部材を挟み込むための突出部と、テーブルの下方に複数対のピンをそれぞれ外側方向に開脚させるための押圧体と、押圧体のセラミック基板の切り欠き部に対応する位置にピンの曲がりを矯正するためのガイド溝を有し、ピンの先端部をテーブル上面より突出させた状態になるようにして中組ラックを支持体に載置させた後、テーブルの前方可動に併せて突出部で縦部材を両横側から押圧しながら挟み込んで中組ラックをテーブルに固定させる手段と、ピンをガイド溝に当接させながら押圧体で押し広げてピンの曲がりを矯正しながら複数対のそれぞれのピンを中央部から外側方向に開脚させる手段と、セラミック基板をテーブル上に載置し、押圧体の押圧を開放して複数対のピンの先端部に備えるつめ部でセラミック基板の切り欠き部を挟持させた後、中組ラックを固定するテーブルの突出部による押圧を開放させる手段を有するので、外部接続リード端子を有さない厚みの薄いセラミック基板を中組ラックの複数対のピンの曲がりを矯正させながら開脚させたテーブル上に、セラミック基板側からの無理な押圧力を掛けることなくセットできると共に、セラミック基板に無理な押圧力を掛けずに挟持でき、セラミック基板の破壊を防止することができて安価なセラミック基板を作製することができる。また、この中組ラックへのセラミック基板装着装置は、中組ラックの複数対のピンの曲がりを矯正させながら開脚させるので、１対のピンの互いの絡まりの発生が防止できると共に、セラミック基板の取り付け位置である切り欠き部に正確にピンのつめ部をセットさせることができ、安価なセラミック基板を作製することができる。
【図面の簡単な説明】
【００１１】
【図１】（Ａ）、（Ｂ）はそれぞれ本発明の一実施の形態に係る中組ラックへのセラミック基板装着装置を説明する要部の平面図、Ａ−Ａ’線矢視断面図である。
【図２】（Ａ）、（Ｂ）はそれぞれ同中組ラックへのセラミック基板装着装置に用いる中組ラックの説明図である。
【図３】同中組ラックへのセラミック基板装着装置で中組ラックに装着するセラミック基板の説明図である。
【図４】（Ａ）、（Ｂ）はそれぞれ同中組ラックへのセラミック基板装着装置でセラミック基板を装着した中組ラックを取り付ける本体ラックの説明図である。
【図５】（Ａ）、（Ｂ）はそれぞれ従来の中組ラックの説明図である。
【図６】（Ａ）〜（Ｃ）はそれぞれ従来の中組ラックへのセラミック基板の装着方法の説明図である。
【発明を実施するための形態】
【００１２】
続いて、添付した図面を参照しながら、本発明を具体化した実施するための形態について説明し、本発明の理解に供する。
図１（Ａ）、（Ｂ）、図２（Ａ）、（Ｂ）、図３を参照しながら本発明の一実施の形態に係る中組ラックへのセラミック基板装着装置を説明する。  
図１（Ａ）、（Ｂ）に示すように、中組ラックへのセラミック基板装着装置１０は、中組ラック２０にセラミック基板３０を装着させるための装置であり、より詳細には、セラミック基板３０に設けられた導電性を有するメタライズ膜や、金属部材等の外部に露出する部分の表面にＮｉめっき被膜や、Ａｕめっき被膜等の電解めっき被膜を形成するために用いる中組ラック２０へのセラミック基板３０を装着するための装置である。そして、中組ラックへのセラミック基板装着装置１０は、中組ラック２０を載置させるための支持体１１と、セラミック基板３０を載置させるためのテーブル１２と、テーブル１２の先端部に設けられ中組ラック２０を挟み込んでテーブル１２に固定するための突出部１３と、後述する一対のピン２３、２３を複数対備えるそれぞれのピン２３を開脚させるための押圧体１４と、押圧体１４に設けられピン２３の曲がりを矯正するためのガイド溝１５を有して構成されている。
【００１３】
上記の支持体１１は、複数のそれぞれのピン２３が上方側になるようにした中組ラック２０を水平状態にして載置させるための基台であって、中組ラック２０の複数部分をブリッジ状に支持するものであってよい。なお、この支持体１１上に載置させる中組ラック２０は、従来から用いられているラックと同様のものであってよい。
【００１４】
図２に示すように、この中組ラック２０は、背骨となる縦部材２１と、この縦部材２１に対して直交してセラミック基板３０の長さ、又は幅寸法に対応する位置に固定して取り付けられる横骨となる複数本の横部材２２を串状に組み合わせて形成されている。そして、更に、中組ラック２０には、相対向する横部材２２から一方の主面側にセラミック基板３０の相対向する２辺の所定位置に設ける後述する切り欠き部３５（図３参照）に当接させてセラミック基板３０を挟持するためのそれぞれの一対のピン２３、２３を複数対備える複数組が縦部材２１に沿って整列して設けられている。この一対のピン２３、２３は、それぞれ相対向する側に向かってバネ力を有し、このバネ力によってセラミック基板３０を挟持できるようになっている。また、それぞれのピン２３の先端部には、セラミック基板３０を挟持したときの落下を防止するための相対向して向かい合う位置につめ部２４が設けられている。なお、この中組ラック２０は、縦部材２１や、横部材２２の骨組み、及びピン２３が導通性を有する金属部材からなり、ピン２３のつめ部２４、及び後述する本体ラック４０（図４（Ａ）、（Ｂ）参照）にネジ締めして取り付けるための縦部材２１の両端部に設ける取付部２５を除く部分には、電気的導通を確保すると共に、めっき被膜が形成されないようにするために、金属部材表面に樹脂コートが施されている。
【００１５】
上記のテーブル１２は、セラミック基板３０を載置させるものであって、支持体１１に載置される中組ラック２０の縦部材２１方向に対して支持体１１の上方の両横側に設けられ、互いに連動して縦部材２１方向に対して水平に前方可動、又は後方可動するようになっている。そして、テーブル１２には、前方可動後にセラミック基板３０が載置されることとなっている。
【００１６】
また、テーブル１２の先端部上面より下方に設ける突出部１３は、中組ラック２０の縦部材２１を両横側から挟み込むためのものであって、テーブル１２の前方可動によって縦部材２１の挟み込みができるようになっている。中組ラック２０の縦部材２１は、通常、角形形状となっているので、突出部１３によって、水平状態に容易に挟持することができるようになっている。
【００１７】
ここで、上記のテーブル１２上に載置されるセラミック基板３０は、図３に示すように、個片体のセラミックパッケージ３１が多数個マトリックス状に配列し、それぞれのセラミックパッケージ３１を分割溝３２で区切った集合体３３と、集合体３３の外側外周部にダミー部３４を設けて形成されている。また、セラミック基板３０は、それぞれのセラミックパッケージ３１に設けられたメタライズ膜や、金属部材等の表面に露出する金属部分に電解めっき被膜を形成するために、セラミック基板３０の相対向する２辺のダミー部３４の所定位置に設ける切り欠き部３５と、これから延設してそれぞれのセラミックパッケージ３１のメタライズ膜と接続させるめっき用引廻しメタライズ配線３６を設けて形成されている。
【００１８】
上記の押圧体１４は、複数対の一対のピン２３、２３のそれぞれを外側方向に開脚させるものであって、テーブル１２の下方にテーブル１２の前方可動、又は後方可動方向に対して直角方向にそれぞれが連動するするように水平に前方可動、又は後方可動するようになっている。また、上記のガイド溝１５は、それぞれのピン２３の曲がりを矯正するためのものであって、押圧体１４のセラミック基板３０の切り欠き部３５に対応する位置にそれぞれのピン２３径が収まる程度の溝を設けて形成されている。なお、このガイド溝１５には、通常、ピン２３が無理なく嵌り込めるように、溝入口を広くする案内用の切り欠きが設けられている。
【００１９】
そして、上記のような支持体１１と、テーブル１２と、突出部１３と、押圧体１４と、ガイド溝１５を有して構成される、中組ラックへのセラミック基板装着装置１０には、テーブル１２が両横側に開放している状態の所に、人が中組ラック２０の縦部材２１の両端部を持って上方から真下方向に落とし込み、中組ラック２０に設けるピン２３のつめ部２４を含む先端部をテーブル１２上面より突出させた状態になるようにして支持体１１上に載置している。そして、この後、中組ラックへのセラミック基板装着装置１０は、テーブル１２の前方可動に併せて前方可動方向の前端に設けられた突出部１３で中組ラック２０の縦部材２１を両横側から押圧しながら挟み込んで、中組ラック２０をテーブル１２に固定させる手段を有している。この手段では、中組ラック２０をテーブル１２上面に対して中組ラック２０の横部材２２を略平行状態にして固定させることができるので、ピン２３のつめ部２４の位置をセラミック基板３０の切り欠き部３５の位置に合わせることができる。
【００２０】
また、上記の中組ラックへのセラミック基板装着装置１０は、テーブル１２に固定された状態の中組ラック２０に設ける一対のピン２３、２３の複数対のそれぞれの側に向かって押圧体１４を前方可動させてそれぞれのピン２３の中間部を押圧体１４に設けるガイド溝１５に嵌り込ませるようにして当接させている。そして、中組ラックへのセラミック基板装着装置１０は、更に、それぞれの押圧体１４で複数対のそれぞれの側のピン２３をガイド溝１５に当接させながらそれぞれ互いに外側方向に押し広げてピン２３の曲がりを矯正しながら複数対のそれぞれのピン２３を中央部から外側方向に開脚させる手段を有している。この手段では、ピン２３の曲がりを矯正しながら開脚させているので、ピン２３でセラミック基板３０を挟持するときのセラミック基板３０の切り欠き部３５の位置を正確に確保することができる。
【００２１】
更に、上記の中組ラックへのセラミック基板装着装置１０には、人がセラミック基板３０の両端部を把持して、セラミック基板３０を複数対のそれぞれが中央部から外側方向に開脚したそれぞれのピン２３に接触や、当接をさせないようにしてテーブル１２上に載置している。そして、中組ラックへのセラミック基板装着装置１０は、それぞれの押圧体１４の押圧を開放して、複数対のそれぞれのピン２３の先端部に備えるつめ部２４で、セラミック基板３０の切り欠き部３５を挟持させている。更に、中組ラックへのセラミック基板装着装置１０は、セラミック基板３０を挟持した後、中組ラック２０を固定しているテーブル１２の突出部１３による押圧を開放させる手段を有している。この手段では、セラミック基板３０でピン２３を押し広げることなく、ピン２３でセラミック基板３０を挟持できるので、セラミック基板３０の分割溝に破壊を発生させるのを防止することができる。
【００２２】
次いで、上記の中組ラックへのセラミック基板装着装置１０でセラミック基板３０を取り付けた中組ラック２０は、図４（Ａ）、（Ｂ）に示すように、中組ラック２０の縦部材２１を立設させるようにして取付部２５を本体ラック４０に蝶ネジ４１等で締め付けて取り付けている。そして、中組ラック２０を取り付けた本体ラック４０は、本体ラック４０ごと所望するめっき被膜用のメッキ浴中に浸漬させ、本体ラック４０から通電させることで、セラミック基板３０のメタライズ膜や、金属部材等の表面に露出する金属部分に電解めっき被膜を形成するようになっている。なお、この本体ラック４０は、導電部材の骨組みで円柱状に形成された円形ラックからなり、上方部に本体ラック４０を吊り上げてメッキ浴中に浸漬させるためのフック部４２と、メッキ浴中に浸漬させるに併せて電極体上に載置させるための通電口４３を有している。また、本体ラック４０の表面には、中組ラック２０の場合と同様に、他部材と接続させて電気的導通を必要する部分以外は、めっき被膜が形成されないようにするために、金属部材表面に樹脂コートが施されている。
【産業上の利用可能性】
【００２３】
本発明は、電解めっき被膜を形成するための中組ラックにセラミック基板を取り付ける中組ラックへのセラミック基板装着装置として用いることができる。
【符号の説明】
【００２４】
１０：中組ラックへのセラミック基板装着装置、１１：支持体、１２：テーブル、１３：突出部、１４：押圧体、１５：ガイド溝、２０：中組ラック、２１：縦部材、２２：横部材、２３：ピン、２４：つめ部、２５：取付部、３０：セラミック基板、３１：セラミックパッケージ、３２：分割溝、３３：集合体、３４：ダミー部、３５：切り欠き部、３６：めっき用引廻しメタライズ配線、４０：本体ラック、４１：蝶ネジ、４２：フック部、４３：通電口
【図１】
2012184491.tif 000003
【図２】
2012184491.tif 000004
【図３】
2012184491.tif 000005
【図４】
2012184491.tif 000006
【図５】
2012184491.tif 000007
【図６】
2012184491.tif 000008